(57)【要約】  撮影オーダ情報と放射線画像データとを確実に対応付け、撮影作業の円滑化を図ることが可能である放射線画像撮影システム及びその制御装置の提供することを課題とする。そのためには、タグリーダ８の制御部は、放射線画像検出装置６のタグ６８に記憶された固有情報を読み出す。撮影操作装置４の制御部１４は、タグリーダ８から放射線画像検出装置６の固有情報を受信し、当該固有情報を記憶部２１に記憶させる。そして、入力操作部１８からの入力を受けて、各撮影オーダ情報に放射線画像検出装置６のカセッテＩＤを対応付け、この対応情報を記憶部２１に記憶する放射線画像撮影システムとする。
2008111355.tif 000002
【特許請求の範囲】
【請求項１】
放射線撮影に係る撮影オーダ情報に基づいて撮影を行う放射線画像撮影システムであって、
被写体を透過した放射線を検出し、放射線量に応じた放射線画像データを生成する画像データ生成部と、固有情報を記憶するＲＦＩＤタグとを備える可搬型である少なくとも一の放射線画像検出装置と、
該放射線画像検出装置が放射線撮影を行う放射線撮影室の所定範囲内に進入すると、前記ＲＦＩＤタグに記憶された固有情報を読み取るＲＦＩＤタグリーダと、
前記撮影オーダ情報及び前記ＲＦＩＤタグリーダにより読み取られた固有情報を取得する取得部と、該取得部により取得された撮影オーダ情報及び固有情報を記憶する記憶部と、該記憶部に記憶された撮影オーダ情報及び固有情報を表示する表示部と、該表示部に表示された固有情報の中から一の固有情報を選択する固有情報選択手段と、該固有情報選択手段により選択された一の固有情報と前記撮影オーダ情報とを対応付ける対応付け手段とを備える制御装置と、
を有することを特徴とする放射線画像撮影システム。
【請求項２】
前記制御装置は、前記対応付け手段によって固有情報に対応付けられた撮影オーダ情報を、当該固有情報を有する放射線画像検出装置に送信する送信部を備えることを特徴とする請求の範囲第１項に記載の放射線画像撮影システム。
【請求項３】
前記固有情報は、放射線画像検出装置に割り当てられた固有の識別情報を含むことを特徴とする請求の範囲第１項または第２項に記載の放射線画像撮影システム。
【請求項４】
前記放射線画像検出装置は、照射された放射線を可視光に変換するシンチレータを備え、前記固有情報は、放射線画像検出装置のサイズ情報またはシンチレータ情報のうち少なくとも一方を含むことを特徴とする請求の範囲第３項に記載の放射線画像撮影システム。
【請求項５】
前記記憶部は複数の撮影オーダ情報を記憶可能で、前記表示部は複数の撮影オーダ情報を表示可能であって、
前記制御装置は、前記表示部に表示された複数の撮影オーダ情報の中から少なくとも一の撮影オーダ情報を選択するオーダ選択手段を備えており、
前記対応付け手段は、前記オーダ選択手段により選択された撮影オーダ情報と前記固有情報選択手段より選択された固有情報とを対応付けることを特徴とする請求の範囲第１項乃至第４項の何れかに記載の放射線画像撮影システム。
【請求項６】
被写体を透過した放射線を検出して放射線画像データを生成する少なくとも一の放射線画像検出装置が放射線撮影室の所定範囲内に進入すると、当該放射線画像検出装置に備えられたＲＦＩＤタグを読み取るＲＦＩＤタグリーダと、接続された制御装置であって、
放射線撮影に係る撮影オーダ情報及び前記ＲＦＩＤタグリーダにより読み取られた放射線画像検出装置の固有情報を取得する取得部と、
該取得部により取得された撮影オーダ情報及び固有情報とを記憶する記憶部と、
該記憶部に記憶された撮影オーダ情報及び固有情報を表示する表示部と、
該表示部に表示された固有情報の中から一の固有情報を選択する固有情報選択手段と、
該固有情報選択手段により選択された一の固有情報と前記撮影オーダ情報とを対応付ける対応付け手段と、
を備えることを特徴とする制御装置。
【請求項７】
前記対応付け手段によって固有情報に対応付けられた撮影オーダ情報を、当該固有情報を有する放射線画像検出装置に送信する送信部を備えることを特徴とする請求の範囲第６項に記載の制御装置。
【請求項８】
前記固有情報は、放射線画像検出装置に割り当てられた識別情報を含むことを特徴とする請求の範囲第６項または第７項に記載の制御装置。
【請求項９】
前記放射線画像検出装置には、照射された放射線を可視光に変換するシンチレータが備えられており、
前記固有情報は、放射線画像検出装置のサイズ情報またはシンチレータ情報のうち少なくとも一方を含むことを特徴とする請求の範囲第８項に記載の制御装置。
【請求項１０】
前記記憶部は複数の撮影オーダ情報を記憶可能で、前記表示部は複数の撮影オーダ情報を表示可能であって、
前記制御装置は、前記表示部に表示された複数の撮影オーダ情報の中から少なくとも一の撮影オーダ情報を選択するオーダ選択手段を備えており、
前記対応付け手段は、前記オーダ選択手段により選択された撮影オーダ情報と前記固有情報選択手段により選択された固有情報とを対応付けることを特徴とする請求の範囲第６項乃至第９項の何れかに記載の制御装置。
【発明の詳細な説明】
【技術分野】
【０００１】
本発明は、Ｘ線に代表される放射線により撮影を行う放射線画像撮影システム及びその制御装置に関する。
【背景技術】
【０００２】
医療診断の場においては、放射線画像をデジタルデータとして取り扱うことのできるＣＲ（Ｃｏｍｐｕｔｅｄ  Ｒａｄｉｏｇｒａｐｈｙ）システムが実用化されている。このＣＲシステムには、蛍光体プレートを内蔵するＣＲカセッテが用いられ、照射された放射線の一部を放射線エネルギーとして蛍光体プレートに蓄積し、当該蛍光体プレートを励起光で走査して放射線画像データを取得するように構成されている。【０００３】
近年では、複数の放射線撮影室を備える医療機関等での使用に対応するため、大規模なＣＲシステムが実現されている。この大規模ＣＲシステムにおいては、撮影する患者が一度に複数存在し、また撮影操作する放射線技師も複数存在するため、患者間で放射線画像データの取り違えが生じる恐れがある。そこで、この問題を解消するため、予め、患者情報（患者の氏名、年齢など）や撮影情報（撮影日時、撮影部位、撮影方向など）などが含まれた撮影オーダ情報と呼ばれる指示情報を生成し、当該撮影オーダ情報とＣＲカセッテを識別するためのカセッテＩＤ（識別情報）とを対応付けて制御装置に登録しておく方法がとられている。【０００４】
一方、上述したＣＲカセッテに代わり、基板上に二次元的に配列された放射線検出素子を内蔵し、当該放射線検出素子に照射された放射線量に応じた電気信号を出力するＦＰＤ（Ｆｌａｔ  Ｐａｎｅｌ  Ｄｅｔｅｃｔｏｒ）装置が開発されている（例えば、特許文献１参照）。このＦＰＤ装置を用いれば、直接的に放射線画像データを得ることができるので、ＣＲカセッテと比較してシステム自体を簡素化することが可能となり、撮影作業も円滑となる。また、ＦＰＤ装置に内蔵された記憶部により複数の放射線画像データを記憶することができるので、一のＦＰＤ装置を用いて連続撮影が可能となり、撮影効率が向上する。【０００５】
ところで、ＦＰＤ装置を用いた撮影では、患者の体格や撮影部位などの撮影条件が異なったとしても所望の画質を得られるように、サイズやシンチレータ種の異なる複数のＦＰＤ装置を用意し、撮影条件に応じてこれらのＦＰＤ装置を使い分けるのが望ましい（例えば特許文献２参照）。しかし、ＦＰＤ装置自体が非常に高価であることから、特に上述したように複数のＦＰＤ装置を使い分ける場合には、ＦＰＤ装置の使用効率を高めた撮影システムを構築することが重要となる。このことから、複数の放射線撮影室を備え、複数の放射線技師により撮影が行われる大規模な医療施設では、複数のＦＰＤ装置を放射線撮影室外の保管場所などに一括して保管しておき、複数のＦＰＤ装置を複数の放射線技師が共通して使用する方法が想定される。【０００６】
この方法では、まず放射線技師が制御装置により撮影オーダ情報を指定すると共に、複数のＦＰＤ装置の中から撮影予定の撮影オーダ情報に適した一のＦＰＤ装置を選択し、当該選択されたＦＰＤ装置に撮影予定の撮影オーダ情報を送信しておく。その後、選択されたＦＰＤ装置を共通の保管場所から持ち出し、当該ＦＰＤ装置を使用して撮影オーダ情報に基づいた撮影が行われることになる。【０００７】
しかしながら、ＦＰＤ装置の外観形状が類似しているため、この方法では、選択されたＦＰＤ装置とは異なるＦＰＤ装置を共通の保管場所から持ち出してしまい、生成された放射線画像データと撮影オーダ情報とを対応付けることができず、再撮影になってしまう恐れがある。ＦＰＤ装置に発光部あるいは表示部を設け、選択されたＦＰＤ装置の発光部や表示部で選択された旨を報知することにより誤った持ち出しを防止ことも考えられるが、ＦＰＤ装置の大型化や製造コストの増加が危惧される。【０００８】
そこで、放射線撮影室の入り口にＦＰＤ装置を検出するセンサを設けておき、ＦＰＤ装置が保管場所から持ち出されて放射線撮影室に入室したことを検出すると、予め選択された撮影予定の撮影オーダ情報をＦＰＤ装置に送信する技術が開示されている（特許文献３参照）。これによれば、放射線撮影室に入室して撮影に使用されるＦＰＤ装置に撮影オーダ情報が送信され、このＦＰＤ装置により放射線画像データが生成されるので、放射線画像データと撮影オーダ情報とを確実に対応付けることが可能となる。
【特許文献１】特開２００６−１２２３０４号公報
【特許文献２】特開２００６−２６２８３号公報
【特許文献３】特開２００４−１４１２４０号公報
【発明の開示】
【発明が解決しようとする課題】
【０００９】
しかしながら、特許文献３は、放射線撮影室へ入室した一のＦＰＤ装置に対して選択された撮影オーダ情報を自動的に送信する構成である。このため、例えば、同一の放射線撮影室を使用すべく、複数の技師が当該放射線撮影室の制御装置にそれぞれ撮影オーダ情報を送信した場合、個々の技師の撮影オーダ情報の送信順に対してそれぞれの技師が携えるＦＰＤ装置の放射線撮影室への到達順が異なると、所望する撮影オーダ情報とは異なる撮影オーダ情報がＦＰＤ装置に送信されることになり、放射線画像データの取り違えが発生してしまう。【００１０】
また、撮影態様によっては同一患者に対し、シンチレータ種の異なる複数のＦＰＤ装置を使用する撮影も存在するが、上記特許文献３に開示された構成では、この撮影方法への対応ができない。【００１１】
また、放射線撮影室へ入室した際に撮影オーダ情報がＦＰＤ装置へ送信されるため、当該ＦＰＤ装置に撮影オーダ情報を追加で送信したい場合には、放射線撮影室から一度ＦＰＤ装置を退室させた後、再度入室させなければならないことになる。したがって、一の患者を撮影した後に続けて他の患者を撮影する場合に、他の患者についての撮影オーダ情報をＦＰＤ装置に送信するために、ＦＰＤ装置を一度放射線撮影室から退室させなければならず、撮影作業が非常に煩雑となってしまう。【００１２】
そこで本発明は、上記の課題に鑑みてなされたものであって、放射線画像検出装置としてＦＰＤ装置を使用した場合に、撮影オーダ情報と放射線画像データとを確実に対応付け、撮影作業の円滑化を図ることが可能である放射線画像撮影システム及びその制御装置の提供を目的とする。
【課題を解決するための手段】
【００１３】
上記目的を達成するため本発明の放射画像撮影システムは、放射線撮影に係る撮影オーダ情報に基づいて撮影を行う放射線画像撮影システムであって、被写体を透過した放射線を検出し、放射線量に応じた放射線画像データを生成する画像データ生成部と、固有情報を記憶するＲＦＩＤタグとを備える可搬型である少なくとも一の放射線画像検出装置と、該放射線画像検出装置が放射線撮影を行う放射線撮影室の所定範囲内に進入すると、前記ＲＦＩＤタグに記憶された固有情報を読み取るＲＦＩＤタグリーダと、前記撮影オーダ情報及び前記ＲＦＩＤタグリーダにより読み取られた固有情報を取得する取得部と、該取得部により取得された撮影オーダ情報及び固有情報を記憶する記憶部と、該記憶部に記憶された撮影オーダ情報及び固有情報を表示する表示部と、該表示部に表示された固有情報の中から一の固有情報を選択する固有情報選択手段と、該固有情報選択手段により選択された一の固有情報と前記撮影オーダ情報とを対応付ける対応付け手段とを備える制御装置と、を有することを特徴とする。【００１４】
また、上記目的を達成するため本発明の制御装置は、被写体を透過した放射線を検出して放射線画像データを生成する少なくとも一の放射線画像検出装置が放射線撮影室の所定範囲内に進入すると、当該放射線画像検出装置に備えられたＲＦＩＤタグを読み取るＲＦＩＤタグリーダと、接続された制御装置であって、放射線撮影に係る撮影オーダ情報及び前記ＲＦＩＤタグリーダにより読み取られた放射線画像検出装置の固有情報を取得する取得部と、該取得部により取得された撮影オーダ情報及び固有情報とを記憶する記憶部と、該記憶部に記憶された撮影オーダ情報及び固有情報を表示する表示部と、該表示部に表示された固有情報の中から一の固有情報を選択する固有情報選択手段と、該固有情報選択手段により選択された一の固有情報と前記撮影オーダ情報とを対応付ける対応付け手段と、を備えることを特徴とする。
【発明の効果】
【００１５】
本発明によれば、タグリーダにより放射線画像検出装置のタグに記憶された固有情報を読み取り、制御装置により当該固有情報を表示させて、所望の固有情報の放射線画像検出装置を選択し、選択された固有情報の放射線画像検出装置と撮影オーダ情報とを対応付けるように構成されている。したがって、複数の操作者がそれぞれ放射線画像検出装置を用いて同一の放射線撮影室にて撮影を行う場合でも、撮影予定の撮影オーダ情報と自身が使用する放射線画像検出装置とを確実に対応付けることができる。【００１６】
また、一度に複数の撮影オーダ情報との対応付けが可能であるので、胸部正面・側面撮影等のように同一患者に対して複数撮影を行う場合であっても、操作者の作業動線が効率化する。
【図面の簡単な説明】
【００１７】
【図１】放射線画像撮影システムにおける一実施形態の概略構成を示す図である。
【図２】撮影オーダ情報リストの一例を示す図である。
【図３】撮影操作装置の要部構成を示すブロック図である。
【図４】放射線画像検出装置の斜視図である。
【図５】光電変換部を二次元に配列した信号検出部の等価回路図である。
【図６】放射線画像検出装置の要部構成を示すブロック図である。
【図７】撮影予定の撮影オーダ情報を入力するための入力画面を表示部に表示した例である。
【図８】今から撮影する撮影オーダ情報を入力するための入力画面を表示部１７に表示した例である。
【図９】放射線画像検出装置を入力するための入力画面を表示部１７に表示した例である。
【図１０】放射線画像撮影システムの動作を説明するフローチャートである。
【図１１】他の実施形態における放射線画像撮影システムの概略構成を示す図である。
【図１２】各撮影室１００に配置されている放射線画像検出装置６を表示させた例である。
【符号の説明】
【００１８】
１  放射線画像撮影システム
４  撮影操作装置
６  放射線画像検出装置
７  コンソール
８  タグリーダ
１４  制御部
１５  ＲＡＭ
１６  ＲＯＭ
１７  表示部
１８  入力操作部
１９  通信部
２１  記憶部
６２  撮像パネル
６６  記憶部
６８  タグ
１００  放射線撮影室
２００  保管室
【発明を実施するための最良の形態】
【００１９】
以下、図面を参照して本発明の実施の形態を説明する。なお、本実施の形態の説明における記載により、本発明の技術的範囲が限定されることはない。【００２０】
図１は、本発明に係る放射線画像撮影システム１における一実施形態の概略構成を示す図である。【００２１】
本実施形態による放射線画像撮影システム１は、図１に示すように、放射線撮影に関する情報を管理する管理サーバ２と、放射線撮影に関する操作を行う撮影操作装置４と、例えば無線ＬＡＮ（Ｌａｃａｌ  Ａｒｅａ  Ｎｅｔｗｏｒｋ）により無線通信を行うための基地局５と、放射線画像検出装置６により生成された放射線画像データに画像処理などを行うコンソール７とがネットワークＮを通じて接続されて構成されている。【００２２】
なお、ここでは図示してないが、放射線画像撮影システム１は、患者診断情報や会計情報を一元管理するＨＩＳ（Ｈｏｓｐｉｔａｌ  Ｉｎｆｏｒｍａｔｉｏｎ  ｓｙｓｔｅｍ）やＲＩＳ（Ｒａｄｉｏｌｏｇｙ  ｉｎｆｏｍａｔｉｏｎ  ｓｙｓｔｅｍ）とネットワークＮを介して接続されている。ネットワークＮは、当該システム専用の通信回線であっても良いが、システム構成の自由度が低くなってしまう等の理由のため、イーサネット（登録商標）等の既存の回線である方が好ましい。【００２３】
放射線撮影室１００は、鉛などでシールドされた撮影室１００ｂとその手前側に配置された前室１００ａとを備えている。撮影操作装置４、基地局５及び放射線画像検出装置６に内蔵されたタグを検出するタグリーダ８は前室１００ａに設置されており、また、被写体に放射線を照射する放射線撮影装置３は撮影室１００ｂに設置されている。そして、撮影操作装置４には、ケーブルＣ１を介して放射線撮影装置３が接続され、ケーブルＣ２を介してタグリーダ８が接続されている。【００２４】
なお、ここでは図示していないが、放射線撮影室１００は、施設の規模、形態に合わせて複数設けられて接続されていても良い。そして、一の放射線画像検出装置６により複数の放射線撮影室１００をまたがって複数の放射線撮影を行うことが可能となっている。【００２５】
保管室２００は、シンチレータの種類やサイズの異なる複数の放射線画像検出装置６を一括して保管するための部屋である。この保管室２００は、保管された放射線画像検出装置６を複数の放射線技師が共通して使用できるように放射線撮影室１００の外に設けられている。【００２６】
以下、各装置の構成を説明する。【００２７】
管理サーバ２はコンピュータで構成されており、管理サーバ２を構成する各部を制御する制御部、各種情報やユーザの指示を入力する入力操作部、及び、各種情報を記憶する外部記憶装置等が設けられている（いずれも図示しない）。制御部は、入力操作部から入力された患者情報と撮影情報とを対応付けて撮影オーダ情報を生成し、生成された複数の撮影オーダ情報を撮影オーダ情報リストとして外部記憶装置に記憶させる。【００２８】
図２は、複数の撮影オーダ情報からなる撮影オーダ情報リストの一例を示す図である。図２に示すように、各撮影オーダ情報は、患者情報としての「患者ＩＤ」Ｐ２、「患者氏名」Ｐ３、「性別」Ｐ４、「年齢」Ｐ５及び撮影情報としての「診療科」Ｐ６、「撮影部位」Ｐ７、「撮影方向」Ｐ８を含んで構成されている。そして、オーダを受け付けた順に、それぞれの撮影オーダ情報に対して「撮影オーダＩＤ」Ｐ１が自動的に割り当てられるようになっている。なお、患者情報や撮影情報としては上述したものに限られることなく、例えば、患者の生年月日、診察回数、放射線の線量などの情報を含むようにしても構わない。また、これらの情報を全て含む必要はなく、撮影目的、撮影フローなどに合わせて撮影オーダ情報に含む情報を適宜設定することができる。【００２９】
放射線撮影装置３は、臥位撮影台１１に横たわっている被写体である患者１２に対して放射線を照射するようになっており、臥位撮影台１１の下方には、放射線画像検出装置６を装着する検出装置装着口１１ａが設けられている。放射線撮影装置３は、撮影操作装置４により制御されて所定の撮影条件で放射線撮影を行うようになっている。【００３０】
基地局５は、放射線画像検出装置６とコンソール７とが無線通信する際に、これらの通信を中継する機能をもつ。なお、無線通信としては、電波（空間波）を用いるものの他に、赤外線や可視光線等（レーザー等）を用いた光無線通信、音波または超音波を用いた音響通信も含まれる。【００３１】
コンソール７はコンピュータで構成されており、コンソール７を構成する各部を制御する制御部、管理サーバ２から送信された撮影オーダ情報リストを表示する表示部、撮影予定の撮影オーダ情報を入力する入力操作部、放射線画像検出装置６から送信された放射線画像データを記憶する外部記憶装置等が設けられている（いずれも図示しない）。【００３２】
制御部は、管理サーバ２から撮影オーダ情報リストを受信して当該撮影オーダ情報リストを表示部に表示させるとともに、入力操作部からの入力を受けて選択された撮影オーダ情報をこれから使用する撮影室の撮影操作装置４に送信する。また、放射線画像検出装置６から基地局５を介して無線通信で送信された放射線画像データに対して所定の画像処理を施すとともに、当該放射線画像データと撮影オーダ情報とを対応付けて外部記憶装置に記憶させたりする。また複数のコンソール７がネットワークＮ接続されている場合、撮影オーダ情報を選択したコンソール７に画像が戻るように、コンソールＩＤを付帯させて通信を行っても良い。【００３３】
タグリーダ８は、放射線撮影室１００の前室１００ａの入り口近傍に設置されており、ＲＦＩＤ（Ｒａｄｉｏ  Ｆｒｅｑｕｅｎｃｙ  ＩＤｅｎｔｉｆｉｃａｔｉｏｎ）の技術を利用して前室１００ａに入室する放射線画像検出装置６と情報のやりとりを行うものである。具体的には、このタグリーダ８は、内蔵するアンテナを介して電磁界や電波などに所定の指示情報を乗せて発信し、放射線撮影室１００の所定範囲内に進入した放射線画像検出装置６を検出し、当該放射線画像検出装置６のタグ（ＲＦＩＤタグ）に記憶された固有情報を読み取る。そして、読み取った固有情報をケーブルＣ２を介して撮影操作装置４に送信するように構成されている。
〈撮影操作装置〉
図３は、撮影操作装置４の要部構成を示すブロック図である。制御装置としての撮影操作装置４は、図３に示すように、制御部１４、ＲＡＭ１５、ＲＯＭ１６、表示部１７、入力操作部１８、通信部１９、記憶部２１等を備えるコンピュータで構成されており、各部はバス２０により接続されている。【００３４】
ＲＯＭ（Ｒｅａｄ  Ｏｎｌｙ  Ｍｅｍｏｒｙ）１６は、不揮発性の半導体メモリ等により構成され、制御部１４で実行される制御プログラムや画像処理条件等を記憶する。【００３５】
ＲＡＭ（Ｒａｎｄｏｍ  Ａｃｃｅｓｓ  Ｍｅｍｏｒｙ）１５は、制御部１４により実行制御される各種処理において、ＲＯＭ１６から読み出された制御部１４で実行可能な各種プログラム、入力若しくは出力データ、及びパラメータ等の一時的に記憶するワークエリアを形成する。【００３６】
表示部１７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等を備えて構成され、制御部１４から出力され入力される表示信号の指示に従って、各種画面を表示するようになっている。例えば、後述する通信部１９を介して受信した複数の撮影オーダ情報や放射線画像検出装置６の固有情報を表示する。【００３７】
入力操作部１８は、例えば、キーボードやマウス等から構成されており、キーボードで押下操作されたキーの押下信号やマウスによる操作信号を、入力信号として制御部１４に対して出力するようになっている。具体的には、表示部１７に表示された複数の撮影オーダ情報の中から撮影予定の撮影オーダ情報を入力したり、当該撮影予定の撮影オーダ情報に対して使用する放射線画像検出装置６を入力したりすることができる。【００３８】
取得部及び送信部としての通信部１９は、他の装置と通信を行うためのインターフェースであり、ネットワークＮを介してコンソール７と、ケーブルＣ１を介して放射線撮影装置３と、ケーブルＣ２を介してタグリーダ８と各種情報の通信を行うことができる。また、ＢｌｕｅｔｏｏｔｈやＩｒＤＡの技術を利用した無線ＰＡＮ（Ｐｅｒｓｏｎａｌ  Ａｒｅａ  Ｎｅｔｗｏｒｋ）などの近距離無線通信により、前室１００ａ内に存在する放射線画像検出装置６と無線通信を行うことも可能である。【００３９】
制御部１４は、例えば、ＣＰＵ（Ｃｅｎｔｒａｌ  Ｐｒｏｃｅｓｓｉｎｇ  Ｕｎｉｔ）等から構成され、ＲＯＭ１６に格納される所定のプログラムを読み出してＲＡＭ１５の作業領域に展開し、当該プログラムに従って各種処理を実行する。この制御部１４は、入力操作部１８により入力された情報に基づいて、予めコンソールから送信された複数の撮影オーダ情報の中から、一の技師が撮影予定の撮影オーダ情報を選択したり、当該撮影予定の撮影オーダ情報に対して使用する放射線画像検出装置６を選択したりする。また、撮影予定の撮影オーダ情報と撮影に使用する放射線画像検出装置６とを対応付けて記憶部２１に記憶させることができる。すなわち、この制御部１４が、本発明におけるオーダ選択手段、固有情報選択手段及び対応付け手段に相当する。【００４０】
記憶部２１は、通信部１９を介してタグリーダ８から受信した放射線画像検出装置６の固有情報やコンソール７から受信した撮影オーダ情報を記憶する。また、制御部１４により対応付けられた撮影オーダ情報と放射線画像検出装置６との対応情報も記憶する。
〈放射線画像検出装置〉
放射線画像検出装置６は、放射線撮影室１００の外にある保管室２００に保管されており、シンチレータ種やサイズの異なる複数の放射線画像検出装置６が保管室２００に一括して保管されている。この放射線画像検出装置６は、放射線撮影装置３から照射されて患者１２を透過した放射線を検出することにより放射線画像データを取得するものであり、カセッテにフラットパネルディテクタ（Ｆｌａｔ  Ｐａｎｅｌ  Ｄｅｔｅｃｔｏｒ：ＦＰＤ）とも呼ばれる撮像パネルが収容されてなる可搬型のカセッテＦＰＤ装置である。【００４１】
以下、図４及び図５を用いて、放射線画像検出装置６の構造について説明する。図４は、放射線画像検出装置６の斜視図である。図４に示すように、放射線画像検出装置６は、内部を保護する筐体６１を備えており、カセッテとして携帯可能に構成されている。【００４２】
筐体６１の内部には、照射された放射線を電気信号に変換する画像データ生成部としての撮像パネル６２が層を成して形成されている。この撮像パネル６２における放射線の照射面側には、入射された放射線の強度に応じて発光を行う発光層６００ａが設けられている。【００４３】
発光層６００ａは、一般にシンチレータ層（単にシンチレータともいう）と呼ばれるものであり、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力する。【００４４】
この発光層６００ａの放射線が照射される側の面と反対側の面には、発光層６００ａから出力された電磁波（光）を電気エネルギーに変換して蓄積し、蓄積された電気エネルギーに基づく画像信号の出力を行う光電変換部がマトリクス状に配列された信号検出部６００ｂが形成されている。なお、１つの光電変換部から出力される信号が、放射線画像データを構成する最小単位となる１画素に相当する信号となる。【００４５】
ここで、撮像パネル６２の回路構成について説明する。図５は、光電変換部を二次元に配列した信号検出部６００ｂの等価回路図である。図５に示すように、光電変換部の構成は、フォトダイオード６０１と、フォトダイオード６０１で蓄積された電気エネルギーをスイッチングにより電気信号として取り出す薄膜トランジスタ（Ｔｈｉｎ  Ｆｉｌｍ  Ｔｒａｎｓｉｓｔｏｒ：ＴＦＴ）６０２とから構成されている。【００４６】
取り出された電気信号は、増幅器６０３により信号読み出し回路６０８が検出可能なレベルにまで増幅される。なお、増幅器６０３には、ＴＦＴ６０２とコンデンサで構成された図示しないリセット回路が接続されており、ＴＦＴ６０２にスイッチを入れることにより蓄積された電気信号をリセットするリセット動作が行われる。【００４７】
光電変換部それぞれの間には、走査線Ｌｌと信号線Ｌｒが直交するように配設されている。前述のフォトダイオード６０１の一端にはＴＦＴ６０２が接続されており、このＴＦＴ６０２を介して信号線Ｌｒに接続されている。一方、フォトダイオード６０１の他端は、各行に配された隣接するフォトダイオード６０１の一端と接続されて共通のバイアス線Ｌｂを通じてバイアス電源６０４に接続されている。このバイアス電源６０４の一端は制御部６０に接続され、制御部６０からの指示によりバイアス線Ｌｂを通じてフォトダイオード６０１に電圧がかかる。【００４８】
また各行に配されたＴＦＴ６０２のゲートは、共通の走査線Ｌｌに接続されており、走査線Ｌｌは、各光電変換部にパルスを送る走査駆動回路６０９を介して制御部６０に接続されている。同様に、各列に配されたフォトダイオード６０１の一端は、共通の信号線Ｌｒに接続されて制御部６０に制御される信号読み出し回路６０８に接続されている。信号読み出し回路６０８には、撮像パネル６２から近い順に、増幅器６０３、サンプルホールド回路６０５、アナログマルチプレクサ６０６、Ａ／Ｄ変換器６０７が共通の信号線Ｌｒ上に配されている。【００４９】
信号読み出し時においては、走査駆動回路６０９が駆動してＴＦＴ６０２を通電状態とすることで、フォトダイオード６０１に蓄積された電荷が電気信号として増幅器６０３に送信される。この電気信号は、増幅器６０３により信号読み出し回路６０８が検出可能なレベルにまで増幅される。そして、増幅器６０３の電圧値はサンプルホールド回路６０５で一時的保持された後、アナログマルチプレクサ６０６に与えられる。【００５０】
アナログマルチプレクサ６０６では、得られた電圧値をシリアルな電気信号に変換してＡ／Ｄ変換器６０７に送信し、Ａ／Ｄ変換器６０７ではこの電気信号をデジタルデータに変換する。このようにして、撮像パネル６２により放射線画像データが生成される。【００５１】
図４に戻り、放射線画像検出装置６は、その他として記憶部６６、電源部６７、充電用端子６９などを備えている。【００５２】
記憶部６６は、不揮発性メモリやフラッシュメモリなどの書き換え可能なメモリ等からなり、撮像パネル６２から出力された数枚〜数十枚程度の放射線画像データを記憶することが可能である。この記憶部６６は内蔵型のメモリでもよいし、メモリカード等の着脱可能なメモリでもよい。【００５３】
電源部６７は、放射線画像検出装置６を構成する複数の駆動部（制御部６０、撮像パネル６２、記憶部６６など）に電力を供給する。【００５４】
タグ６８は、所謂ＲＦＩＤタグといわれるものであり、タグ６８の各部を制御する制御回路、放射線画像検出装置６の固有情報を記憶する記憶部及び電磁界や電波を送受信するアンテナなどを内蔵している（いずれも図示しない）。そして、タグリーダ８から発信された電磁界や電波をアンテナを介して受信すると、記憶部に記憶された固有情報を、アンテナを介してタグリーダ８に送信するように構成されている。なお、固有情報とは、例えば、各放射線画像検出装置６に割り当てられた固有の識別情報としてのカセッテＩＤである。この他に、シンチレータの種類情報、サイズ情報、解像度などを含んでいてもよい。サイズ情報とは例えば六切、半切等の撮影可能サイズ、あるいは放射線画像検出装置６自体の大きさのことである。【００５５】
図６は、放射線画像検出装置６の要部構成を示すブロック図である。図６に示すように、放射線画像検出装置６の制御系は、制御部６０、撮像パネル６２、記憶部６６、電源部６７、ＲＯＭ８１、ＲＡＭ８２、通信部８３等を備え、各部はバス８４により接続されている。なお、これらのうち、撮像パネル６２、記憶部６６、電源部６７については上述したため、ここでは説明を省略する。【００５６】
ＲＯＭ８１は、不揮発性の半導体メモリ等により構成され、制御部６０で実行される制御プログラム等を記憶する。【００５７】
ＲＡＭ８２は、制御部６０により実行制御される各種処理において、ＲＯＭ８１から読み出された制御部６０で実行可能な各種プログラム、入力若しくは出力データ、及びパラメータ等を一時的に記憶するワークエリアを形成する。【００５８】
通信部８３は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１規格に準拠した無線ＬＡＮにより、基地局５を介して、コンソール７との間で各種情報の無線通信を行うものである。また、無線ＰＡＮなどの近距離無線通信により前室１００ａ内で撮影操作装置４と無線通信を行うことも可能である。【００５９】
制御部６０は、例えば、ＣＰＵ等から構成され、ＲＯＭ８１に記憶されている制御プログラムを読み出してＲＡＭ８２内に形成されたワークエリアに展開し、当該制御プログラムに従って放射線画像検出装置６の各部を制御する。例えば、この制御部６０は通信部８３と協働して、撮影操作装置４から撮影オーダ情報を受信したり、当該撮影オーダ情報と放射線画像データとを基地局５を介してコンソール７に送信したりする。【００６０】
図１０は、放射線画像撮影システム１の動作を説明するフローチャートである。この図を参照しつつ、放射線画像検出装置６により放射線画像データを生成する際の、放射線画像撮影システム１の動作を説明する。なお、ここでは、予め、医師や受付担当者により放射線撮影に係る複数の撮影オーダ情報が入力され、図２に示す撮影オーダ情報リストが管理サーバ２の外部記憶装置に記憶されているものとする。【００６１】
また、以下のフローチャートにおいては、一人の操作者が複数の放射線画像検出装置６を使用して撮影を行う場合を例にして説明するが、一の放射線撮影室１００で複数の放射線画像検出装置６を使用するという観点では、複数の操作者がそれぞれ異なる放射線画像検出装置６を使用して同一の放射線画像検出装置６で撮影を行う場合にも適用可能である。【００６２】
まず、医師又は放射線技師等の操作者がコンソール７の入力操作部を操作して放射線撮影を開始する旨の情報を入力すると、コンソール７の制御部は管理サーバ２の外部記憶装置に記憶された撮影オーダ情報リストを受信して、当該撮影オーダ情報リストを記憶部に記憶する（ステップＳ１）。そして、放射線撮影室１００にて今回撮影予定である撮影オーダ情報、を入力するための入力画面Ｈ１を表示部に表示させる（ステップＳ２）。【００６３】
図７は、撮影予定の撮影オーダ情報を入力するための入力画面Ｈ１を表示部に表示した例である。図７に示すように、入力画面Ｈ１には、記憶部に記憶された撮影オーダ情報リストを表示するための撮影オーダ情報表示欄ｈ１１が設けられている。また、撮影オーダ情報表示欄ｈ１１の左側には、今回撮影予定であることを入力するための入力ボタンｈ１２が各撮影オーダ情報に対応して設けられている。また、撮影オーダ情報表示欄ｈ１１の下側には、決定ボタンｈ１３及び戻るボタンｈ１４が設けられている。【００６４】
操作者は、撮影オーダ情報表示欄ｈ１１を確認しつつ入力操作部を操作し、今回撮影予定である撮影オーダ情報に対応する入力ボタンｈ１２をクリックする。ここでは、「撮影オーダＩＤ」Ｐ１が「００１」〜「００４」、「００９」、「０１０」の撮影オーダ情報がクリックされたこととする。その後、問題がなければ決定ボタンｈ１３をクリックする。【００６５】
コンソール７の制御部は、入力操作部からの入力を受けて、記憶部に記憶された撮影オーダ情報リストの中から「撮影オーダＩＤ」Ｐ１が「００１」〜「００４」、「００９」、「０１０」である撮影オーダ情報を選択する（ステップＳ３）。そして、この選択された複数の撮影オーダ情報をネットワークＮを介して、放射線撮影室１００の前室１００ａに設けられた撮影操作装置４に送信する（ステップＳ４）。影操作装置４の制御部１４は、コンソール７から撮影オーダ情報を受信すると、この撮影予定である撮影オーダ情報を記憶部２１に記憶させる（ステップＳ５）。【００６６】
操作者は、撮影操作装置４へ撮影オーダ情報の送信が完了すると、当該撮影オーダ情報の撮影条件に最適な放射線画像検出装置６を保管室２００から取り出し、放射線撮影室１００へ持ち運ぶ。本実施の形態では、シンチレータの種類やサイズなどが異なる２つの放射線画像検出装置６（ＦＰＤ１０、ＦＰＤ２０）を使用して撮影する。なお、ここでは２つの放射線画像検出装置６を使用することとしたが、選択された撮影オーダ情報の撮影条件に応じて、更に多数の放射線画像検出装置６を使い分けるようにしても良い。【００６７】
タグリーダ８の制御部は、放射線画像検出装置６を検出したか否かを常時判断している（ステップＳ６）。そして、２つの放射線画像検出装置６が操作者により持ち運ばれ、放射線撮影室１００の前室１００ａに入室すると、タグリーダ８の制御部はそれぞれの放射線画像検出装置６のタグ６８を検出し（ステップＳ６；Ｙｅｓ）、タグ６８の記憶部に記憶された放射線画像検出装置６の固有情報を読み出す。そして、当該固有情報をケーブルＣ２を介して撮影操作装置４に送信する（ステップＳ７）。【００６８】
撮影操作装置４の制御部１４は、タグリーダ８からそれぞれの放射線画像検出装置６の固有情報を受信し、当該固有情報を記憶部２１に記憶させる（ステップＳ８）。そして、まず、撮影予定である撮影オーダ情報の中から、今から撮影する撮影オーダ情報を入力する入力画面Ｈ３を表示部１７に表示させる（ステップＳ９）。【００６９】
図８は、今から撮影する撮影オーダ情報を入力するための入力画面Ｈ３を表示部１７に表示した例である。入力画面Ｈ３の中央には、記憶部２１に記憶された撮影オーダ情報、すなわち放射線撮影室１００にて撮影予定である撮影オーダ情報を表示するための撮影オーダ情報表示欄ｈ３１が設けられている。なお、その他の構成は上述した入力画面Ｈ１と同様であるため、ここでの説明は省略する。【００７０】
操作者は、撮影オーダ情報表示欄ｈ３１を確認しつつ入力操作部を操作し、今から撮影する撮影オーダ情報に対応する入力ボタンｈ３２をクリックする。ここでは、「撮影オーダＩＤ」Ｐ１が「００１」〜「００４」の撮影オーダ情報がクリックされたこととする。これで問題がなければ決定ボタンｈ３３をクリックする。【００７１】
撮影操作装置４の制御部１４は、入力操作部１８からの入力を受けて、記憶部２１に記憶された撮影オーダ情報の中から「撮影オーダＩＤ」Ｐ１が「００１」〜「００４」である複数の撮影オーダ情報を選択する（ステップＳ１０；オーダ選択手段）。そして、この撮影オーダ情報の選択が終了すると、次に、選択された各撮影オーダ情報に適した放射線画像検出装置６を入力するための入力画面Ｈ２を表示部１７に表示させる（ステップＳ１１）。【００７２】
図９は、放射線画像検出装置６を入力する入力画面Ｈ２を表示部１７に表示した例である。入力画面Ｈ２の中央部には、ステップＳ１０で選択された撮影オーダ情報を表示する撮影オーダ情報表示欄ｈ２１が設けられている。また、撮影オーダ情報表示欄ｈ２１の下方には、ステップＳ７でタグリーダ８により読み取られ、撮影操作装置４の記憶部２１に記憶された放射線画像検出装置６の固有情報を表示する固有情報表示欄ｈ２２が設けられている。更に、撮影オーダ情報表示欄ｈ２１の右側には、それぞれの撮影オーダ情報に適した放射線画像検出装置６を入力するＦＰＤ入力欄ｈ２３が設けられ、画面右下には、決定ボタンｈ２４及び戻るボタンｈ２５が設けられている。【００７３】
操作者は、固有情報表示欄ｈ２２を確認しながら入力操作部１８を操作し、ＦＰＤ入力欄ｈ２３において、各撮影オーダ情報に適した放射線画像検出装置６（ＦＰＤ１０またはＦＰＤ２０）を入力する。【００７４】
撮影操作装置４の制御部１４は、入力操作部１８からの入力を受けて、各撮影オーダ情報に対応して放射線画像検出装置６の固有情報として例えば、固有の識別情報のカセッテＩＤを選択する（ステップＳ１２；固有情報選択手段）。そして、撮影オーダ情報と放射線画像検出装置６のカセッテＩＤとをそれぞれ対応付け（ステップＳ１３；対応付け手段）、この対応情報を記憶部２１に記憶する。すわなち、ここでは「撮影オーダＩＤ」Ｐ１が「００１」、「００２」にはカセッテＩＤがＦＰＤ１０の放射線画像検出装置６を、「撮影オーダＩＤ」Ｐ１が「００３」、「００４」にはカセッテＩＤがＦＰＤ２０の放射線画像検出装置６を対応付ける。そして、それぞれの放射線画像検出装置６に対して、対応付けられた撮影オーダ情報を通信部１９を介して送信し（ステップＳ１４）、図１０のフローは終了となる。【００７５】
その後、図示していないが、２つの放射線画像検出装置６（ＦＰＤ１０、ＦＰＤ２０）を順次使用して放射線撮影を行い、それぞれに対応付けられた撮影オーダ情報に基づく放射線画像データが生成される。そして、生成された放射線画像データと関連する撮影オーダ情報及びカセッテＩＤとを基地局５を介して無線通信によりコンソール７に送信する。【００７６】
コンソール７では、放射線画像データと撮影オーダ情報とを受信し、放射線画像データに所定の画像処理を施した後、当該放射線画像データと撮影オーダ情報とを対応付けて記憶する。全ての撮影が終了して、コンソールへの送信が完了したら、撮影操作装置４に戻り、撮影終了ボタンＨ２６を押すと、２つの放射線画像検出装置６（ＦＰＤ１０、ＦＰＤ２０）は新たな撮影オーダ情報との対応付けが可能となる。そして、再度、ステップＳ９〜ステップＳ１４を繰り返し、同一の放射線画像検出装置６（ＦＰＤ１０又は、ＦＰＤ２０）を使用して、残りの撮影オーダ情報に対応する放射線撮影を放射線撮影室１００にて行う。【００７７】
このように、本実施の形態においては、放射線撮影室１００の前室１００ａに撮影操作装置４と接続されたタグリーダ８が設置されており、当該タグリーダ８により放射線撮影室１００に入室した放射線画像検出装置６のタグ６８を読み取り、得られた放射線画像検出装置６の固有情報は撮影操作装置４に送信される。そして、撮影操作装置４により今から撮影する撮影オーダ情報と当該撮影オーダ情報に適した放射線画像検出装置６とを選択し、選択した当該放射線画像検出装置６と撮影オーダ情報とを対応付けるように構成されている。【００７８】
したがって、複数の放射線画像検出装置６を使用して撮影を行う際に、撮影操作装置４により放射線画像検出装置６と撮影オーダ情報とを確実に対応付けることができるので、放射線画像データの取り違えを防止することができる。これにより、一人の操作者が複数の放射線画像検出装置６を用いて撮影を行う場合に、撮影条件に最適な放射線画像検出装置６を選択して撮影を行うことができるので、高品質な放射線画像データを得ることができる。【００７９】
また、複数の操作者がそれぞれ異なる放射線画像検出装置６を用いて同一の放射線撮影室１００で撮影を行う場合でも、撮影予定の撮影オーダ情報と自身が使用する放射線画像検出装置６とを確実に対応付けることができるので、操作者間での放射線画像データの取り違えを防止することが可能となる。【００８０】
また、同一の放射線画像検出装置６を使用して連続撮影する場合でも、撮影が終了した放射線画像検出装置６をタグリーダ８に読み出させるためにわざわざ放射線撮影室１００の外に一旦持ち出すことなく、そのまま次の撮影に移行することができる。【００８１】
すなわち、タグリーダ８から読み出された放射線画像検出装置６の固有情報は、撮影操作装置４に送信されて記憶部２１に記憶されている。このため、同一の放射線画像検出装置６を使用して連続で撮影を行う場合でも、撮影に使用された放射線画像検出装置６を再度、タグリーダ８に読み出させる必要がない。したがって、連続撮影する際に、放射線画像検出装置６を放射線撮影室１００の外に持ち出すことなく次の撮影に移行できるので、撮影作業を円滑に行うことが可能となる。【００８２】
また、放射線画像検出装置６を保管する保管室２００が放射線撮影室１００の外に設けられており、複数の操作者が放射線画像検出装置６を共通して使用できるので、放射線画像検出装置６の使用効率が向上する。【００８３】
なお、タグリーダ８は、放射線画像検出装置６の移動方向を検出し、入室及び退室を判断できるのが好ましい。このように構成することにより、放射線画像検出装置６が放射線撮影室１００から退出した場合、撮影操作装置４の表示部１７から当該放射線画像検出装置６に対応する固有情報が消去され、使用可能な放射線画像検出装置６に対応する固有情報のみをリアルタイムで表示できる。【００８４】
また、上述の説明では、放射線画像検出装置６に記憶された放射線画像データと撮影オーダ情報とを、放射線画像検出装置６から基地局５を介してコンソール７に送信するように構成したが、例えば、コンソール７には送信せず、撮影操作装置４に送信するように構成しても構わない。そして、このように構成した場合は、図１０のステップＳ１４で示した、撮影操作装置４から放射線画像検出装置６に撮影オーダ情報を送信する処理は行わなくても良い。すなわち、撮影操作装置４では放射線画像検出装置６の固有情報と撮影オーダ情報とが対応付けられているので、放射線画像検出装置６から放射線画像データが送信されると、撮影操作装置４では、放射線画像検出装置６の固有情報に基づいて放射線画像データと撮影オーダ情報とを対応付けることができるからである。【００８５】
図１１は、本発明に係る放射線画像撮影システム１における他の実施形態の概略構成を示す図である。図１１に示す放射線画像撮影システムにおいては、複数の撮影室１００（１）、１００（２）、１００（３）と、複数のコンソール７（１）、７（２）、７（３）とがネットワークＮを通じて接続されて構成されている。また個々の撮影室１００及びコンソール７、保管室２００は、図１乃至図６に示したものと同一であり、それぞれの撮影室１００には、撮影操作装置４、基地局５及びタグリーダ８等が備わっている。【００８６】
図１１に示す実施形態においては、各撮影室内１００に放置された放射線画像検出装置６のカセッテＩＤ情報が撮影操作装置４に集まり、各撮影操作装置４からコンソール７へ、当該カセッテＩＤを送信通知することで、コンソール７上で、どの撮影室１００に、どの放射線画像検出装置６が置かれているかがわかる。【００８７】
図１２は、コンソール７の表示部に、各撮影室１００に配置されている放射線画像検出装置６を表示させた例である。同図において、撮影を行う撮影室１００（例えば撮影室１）であれば、ＩＤ表示欄Ｈ４８には、当該表示画面Ｈ４を表示させているコンソールＩＤが表示されており、撮影室表示欄Ｈ４１乃至Ｈ４３及び、保管室表示欄Ｈ４４にはそれぞれの室内に配置されている放射線画像検出装置６のカセッテＩＤが表示されている。そして撮影を行う撮影室１００（同図においては撮影室１乃至３）に対応するボタンＨ４９をクリックすることにより撮影を行う撮影室１００を選択することができる。選択後に決定ボタンＨ４５をクリックすることにより、図７の撮影予定の撮影オーダ情報を入力するための入力画面に切り替わる。以降は図７乃至図９、及び図１０に示したフローチャートを実施する。【００８８】
尚、保管室２００に於いては、各放射線画像検出装置６が、クレードルの各スロットに装填されると、充電用端子６９を通して電源部６７の内臓バッテリの充電が行われると共に、各スロットに装填された放射線画像検出装置６のそれぞれのカセッテＩＤを、ネットワークＮ経由で各コンソール７に通知することで、保管室に保存されている放射線画像検出装置６のシンチレータ種類やサイズを表示することが可能となる。【００８９】
本実施形態によれば、新たに撮影を行おうとする技師・医師等の操作者は、所望の放射線画像検出装置６が置かれた撮影室１００を選択指定することができ、保管室２００への余計な動作（移動）を行う必要が無くなり、好ましい。更に、撮影終了時に、放射線画像検出装置６を撮影室１００内に放置させたままでも、システム全体が円滑に作動するので、技師等の負担を軽減できる。
【図１】
2008111355.tif 000003
【図２】
2008111355.tif 000004
【図３】
2008111355.tif 000005
【図４】
2008111355.tif 000006
【図５】
2008111355.tif 000007
【図６】
2008111355.tif 000008
【図７】
2008111355.tif 000009
【図８】
2008111355.tif 000010
【図９】
2008111355.tif 000011
【図１０】
2008111355.tif 000012
【図１１】
2008111355.tif 000013
【図１２】
2008111355.tif 000014
【国際調査報告】
2008111355.tif 000015
2008111355.tif 000016
2008111355.tif 000017
2008111355.tif 000018